(57)【要約】【課題】  動物の声を出したり、動きをコントロールしたりすることにより、動物に乗っているようなストーリー性のある乗物であり、楽しく遊べる可変空気膜構造による定置型乗物を提供する。【解決手段】  立体形状を有した可変空気膜構造体と、該可変空気膜構造体の立体形状を膨らませる送風機と、乗物本体を揺動させるための駆動部とからなる可変空気膜構造による定置型乗物であって、可変空気膜構造体における可変部をコントロールするコントロール部を設けてなることを特徴とする。【選択図】  図１
2005087699.tif 000002
【特許請求の範囲】
【請求項１】
立体形状を有した可変空気膜構造体と、該可変空気膜構造体の立体形状を膨らませる送風機と、乗物本体を揺動させるための駆動部とからなる可変空気膜構造による定置型乗物であって、可変空気膜構造体における可変部をコントロールするコントロール部を設けてなることを特徴とする可変空気膜構造による定置型乗物。
【請求項２】
コントロール部が、ワイヤーと巻き取り装置とで構成されてなることを特徴とする請求項１記載の可変空気膜構造による定置型乗物。
【請求項３】
可変空気膜構造体が、動物の形状であることを特徴とする請求項１又は２記載の可変空気膜構造による定置型乗物。
【請求項４】
可変空気膜構造体が、動物のカバであることを特徴とする請求項３記載の可変空気膜構造による定置型乗物。
【請求項５】
可変空気膜構造体における可変部が、口、耳、目、鼻、牙、尾、手、足等の少なくとも１つの部位であること特徴とする請求項１、２、３又４記載の可変空気膜構造による定置型乗物。
【請求項６】
可変部及び／または可変空気膜構造体を着脱自在に形成してなることを特徴とする請求項１、２、３、４又は５記載の可変空気膜構造による定置型乗物。
【請求項７】
コインボックスを付設してなることを特徴とする請求項１、２、３、４、５又は６記載の可変空気膜構造による定置型乗物。
【請求項８】
音声発生装置を設けてなることを特徴とする請求項１、２、３、４、５、６又は７記載の可変空気膜構造による定置型乗物。
【発明の詳細な説明】
【技術分野】
【０００１】  本発明は、主として屋内遊技場にある電動遊具として使用するものであり、可変空気膜構造体を設けることにより、色々な動きを付加することができる可変空気膜構造による定置型乗物に関するものである。
【背景技術】
【０００２】  背景技術としては、立体形状を有した空気膜構造体と、該空気膜構造体の立体形状を維持するための送風機と、移動するための駆動部を設けた車体とからなる風船自動車であって、車体の車体枠の外周に適宜な弾性力を有する緩衝部を周設してなることを特徴とする風船自動車が開示されている。（特許文献１参照）【０００３】
【特許文献１】  実用新案登録第３０７３２３０号公報（請求項１、図５）
【発明の開示】
【発明が解決しようとする課題】
【０００４】  上記の実用新案は、弊社が以前出願したもので、弾性力を有する緩衝部を周設することにより、衝突時の衝撃を吸収し、安心して子供から大人まで遊べるものである。【０００５】  よって、安全性という意味では評価頂き、すでに市場で販売し、使用している。
しかしながら、多様化する現状において、新しい形態が望まれている。【０００６】  本発明は、上記の要望に答えるべく開発されたもので、動物の声を出したり、動きをコントロールしたりすることにより、動物に乗っているようなストーリー性のある乗物であり、楽しく遊べる可変空気膜構造による定置型乗物を提供することを目的とする。
【課題を解決するための手段】
【０００７】  課題を解決するための手段として、立体形状を有した可変空気膜構造体と、該可変空気膜構造体の立体形状を膨らませる送風機と、乗物本体を揺動させるための駆動部とからなる可変空気膜構造による定置型乗物であって、可変空気膜構造体における可変部をコントロールするコントロール部を設けてなること。また、コントロール部が、ワイヤーと巻き取り装置とで構成されてなること。さらに、可変空気膜構造体が、動物の形状であること。可変空気膜構造体が、動物のカバであること。さらにまた、可変空気膜構造体における可変部が、口、耳、目、鼻、牙、尾、手、足等の少なくとも１つの部位であること。可変部及び／または可変空気膜構造体を着脱自在に形成してなること。その上、コインボックスを付設してなること。音声発生装置を設けてなることを特徴とする。
【発明の効果】
【０００８】１）、可変空気膜構造体を可変自在に膨らませることにより、例えば動物形状の口を開いたり閉じたりすることができ、変化に富む可変空気膜構造による定置型乗物を表現できる効果がある。
２）、駆動部により、乗物本体を前後左右に揺動させることにより、その場にいながら移動している体感を得ることができる効果がある。
３）、コントロール部により、耳、牙、尾等を自在に動かすことができ、よりリアルな動きを表現できる効果がある。
４）、可変空気膜構造体を各種類の動物の形状に形成することにより、動物園的雰囲気を作り出すことができ、より楽しく遊ぶことができる効果がある。
５）、可変空気膜構造体をカバ（口を大きくした）とすることにより、使用者が口の中に入ることとなり、室外で使用した場合においても、雨よけになり、使用場所を広げることができる効果がある。
６）、可変部及び／または可変空気膜構造体を着脱自在に設けることにより、色々なバリエーションを構築することができると共に、破損箇所を個別に交換でき、コストを軽減できる効果がある。
７）、コインボックスを付設することにより、遊技場の新しい収入源として確保できる効果がある。
８）、音声発生装置を設けることにより、使用していない時はイビキを出したり、使用中は歌を歌う等、周囲に使用状態を知らせると共に、周囲に対する宣伝効果を有する。
【発明を実施するための最良の形態】
【実施例】
【０００９】  可変空気膜構造による定置型乗物１は、動物のカバの口を拡大してなる立体形状を有した可変空気膜構造体２を着脱自在に取り付ける内部を空洞化し、座部３ａを設けてなる乗物本体３と、乗物本体３の内部に設けてなる可変空気膜構造体２を立体形状に膨らませる送風機４と、乗物本体３を前後左右に揺動させるため天板５ａの中央下部に、上下動させるための変芯カム５ｂを設け、この変芯カム５ｂを作動させるためベルトＢを介してモーター５ｃを設けると共に、４隅に支持するシャフト５ｄを設けてなる駆動部５と、可変空気膜構造体２における牙６ａ１、耳６ａ２、尾６ａ３からなる可変部６ａをコントロール（出し入れする）するワイヤー６ｂ−−−とローラー（４箇所）６ｃ（モーターは図示せず）とからなるコントロール部６とからなるものである。
なお、上記駆動部５はキャスター７ａ（４箇所）と自立するための上下動するスタンド７ｂ（４箇所）とからなる基台７の上面に設けてある。
また、上記ワイヤー６ｂ−−−は、可変空気膜構造体２の内側の係止片６ｂ１（通称ハトメ）−−−にて係止してある。
さらに、必要に応じて、コインボックス８や音声発生装置９を設けてもよい。【００１０】  別の実施例として、可変部２６ａの牙２６ａ１と可変空気膜構造体２２をファスナーＦ等で着脱自在に形成してなるもので他の部位も同様に形成できる。【００１１】  上記のように構成した可変空気膜構造による定置型乗物１の動作及び使用例について下記に述べる。
まず、可変部６ａの動作状態を説明する。
コントロール部６のローラー６ｃを回動させ、ワイヤー６ｂ−−−を巻き取ることにより、牙６ａ１、耳６ａ２、尾６ａ３が内部に引っ張られ、外から見えなくなる。
これらを繰り返すことにより、出たり入ったりするものである。【００１２】  つぎに、乗物本体３を左右前後に揺動させるため、モーター５ｃを作動させ、ベルトＢを介して変芯カム５ｂを回転させ、天板５ａを上下動させることにより、乗物本体３を左右前後に揺動することができるものである。【００１３】  つづいて、使用例について述べる。
例えば、室内遊技場にて使用する場合、待ちの時点においては、音声発生装置９から「ンガ〜ッ」「ｚｚｚ」等の休んでいる状態の音声を流す。
つぎに、コインボックス８にコインを入れると送風機４が作動し、可変空気膜構造体２内に空気を送り込み、カバの口が開く。
この状態で、乗物本体３の座部３ａに座ることにより、モーター５ｃが作動し、乗物本体３が左右前後に揺動すると共に、コントロール部６にて可変部６ａを出し入れさせることにより、楽しく可変空気膜構造による定置型乗物１に乗ることができるものである。【００１４】  なお、上記実施例において、可変空気膜構造体はカバに限定することなく他の動物等でもよく、可変部においても上記部位に限定せず、他の部位でもよい。
また、可変部と可変空気膜構造体との着脱方法もファスナーに限定しなくてもよく、乗物本体と可変空気膜構造体の着脱方法も凸凹テープ等、任意に設定すればよい。
さらに、音声も色々考えられ、その場の状態に合せて設定すればよい。
さらにまた、駆動部の構造は、同様な動きをするものであれば、特に限定しない。
【図面の簡単な説明】
【００１５】
【図１】  本発明の可変空気膜構造による定置型乗物の一実施例を示す斜視図。
【図２】  本発明の可変空気膜構造による定置型乗物の一実施例を示す正面図。
【図３】  本発明の可変空気膜構造による定置型乗物の一実施例を示す平面図。
【図４】  本発明の可変空気膜構造による定置型乗物の一実施例を示す側面図。
【図５】  本発明の可変空気膜構造による定置型乗物の一実施例を示す可変部と可変空気膜構造体との連結状態図。
【図６】  本発明の可変空気膜構造による定置型乗物の一実施例を示す可変部の作動状態図。
【図７】  本発明の可変空気膜構造による定置型乗物の待ち受け状態の正面図。
【図８】  本発明の可変空気膜構造による定置型乗物の形状成立の正面図。
【図９】  本発明の可変空気膜構造による定置型乗物の使用状態の正面図。
【符号の説明】
【００１６】１−−−可変空気膜構造による定置型乗物
２−−−可変空気膜構造体
３−−−乗物本体
４−−−送風機
５−−−駆動部
６−−−コントロール部
７−−−基台
８−−−コインボックス
９−−−音声発生装置
【図１】
2005087699.tif 000003
【図２】
2005087699.tif 000004
【図３】
2005087699.tif 000005
【図４】
2005087699.tif 000006
【図５】
2005087699.tif 000007
【図６】
2005087699.tif 000008
【図７】
2005087699.tif 000009
【図８】
2005087699.tif 000010
【図９】
2005087699.tif 000011